(57)【要約】【課題】  低温で二酸化炭素を放散するアミンを使用した二酸化炭素分離組成物を提供する。【解決手段】  ジエチレントリアミンに酸化プロピレンを付加したアミン及び水からなる組成物を二酸化炭素の分離に用いる。【選択図】    なし【特許請求の範囲】
【請求項１】
ジエチレントリアミンに酸化プロピレンを付加したアミン及び水からなる二酸化炭素分離組成物。
【請求項２】
ジエチレントリアミンに酸化プロピレンを付加したアミンが、Ｎ−（２−ヒドロキシプロピル）ジエチレントリアミン及び／又はＮ，Ｎ’’−ビス（２−ヒドロキシプロピル）ジエチレントリアミンであることを特徴とする請求項１に記載の二酸化炭素分離組成物。
【請求項３】
水の濃度が３０〜９５重量％であることを特徴とする請求項１又は２に記載の二酸化炭素分離組成物。
【請求項４】
さらにリン酸及び／又はリン酸塩を含んでなることを特徴とする請求項１〜３のいずれかに記載の二酸化炭素分離組成物。
【請求項５】
さらに亜鉛（ＩＩ）化合物及び／又は銅（ＩＩ）化合物を含んでなることを特徴とする請求項１〜４のいずれかに記載の二酸化炭素分離組成物。
【請求項６】
さらにアミノ基数５以上のポリエチレンポリアミンを含んでなることを特徴とする請求項１〜５のいずれかに記載の二酸化炭素分離組成物。
【発明の詳細な説明】
【技術分野】
【０００１】
本発明は、二酸化炭素分離液に関する。
【背景技術】
【０００２】
近年、地球温暖化問題のため、二酸化炭素の分離・回収が注目されており、多くの二酸化炭素吸収液の開発がなされている。
【０００３】
二酸化炭素の吸収液として、アミンの水溶液、特にモノエタノールアミン水溶液が最も一般的である。モノエタノールアミンは、安価で工業的に入手しやすいが、低温で吸収した二酸化炭素を１２０℃以上の高温にしないと放出しないという特性がある。そして、二酸化炭素放出温度を水の沸点以上にすると、水の高い潜熱、比熱のため、二酸化炭素の回収に多くのエネルギーを要することになる。
【０００４】
そのため、モノエタノールアミンより二酸化炭素放散温度が低く、二酸化炭素回収エネルギーの低いアミンの開発がなされている。例えば、アミノメチルプロパノール（例えば、特許文献１参照）、エチルアミノエタノール（例えば、特許文献２参照）、イソプロピルアミノエタノール（例えば、特許文献３参照）が提案されている。これらは、いずれもアミノ基を嵩高い置換基で保護することにより、二酸化炭素−アミン間の強固な結合の生成を阻害し、二酸化炭素の放散エネルギーを低下させることができるものであるが、低分子アミンであるため沸点が低く、蒸発による損失が大きい。また、工業的に使用するには価格が高い。高沸点のアミンとしてＮ−メチルジエタノールアミン（例えば、特許文献４参照）も知られているが、二酸化炭素の吸収量、放散量が低い。
【先行技術文献】
【特許文献】
【０００５】
【特許文献１】特開平０６−３４３８５８号公報
【特許文献２】特開平０８−０８９７５６号公報
【特許文献３】特開２００７−２１７３４４公報
【特許文献４】国際公開第９９／０５１３２６号パンフレット
【発明の概要】
【発明が解決しようとする課題】
【０００６】
本発明は上記の課題に鑑みてなされたものであり、その目的は、低温で二酸化炭素を放散するアミンを使用した二酸化炭素分離組成物を提供することにある。
【課題を解決するための手段】
【０００７】
本発明者は、二酸化炭素を吸収、放散するアミンについて鋭意検討した結果、ジエチレントリアミンに酸化プロピレンを付加したアミンの水溶液が、ジエチレントリアミンをそのまま使用した場合に比べて、吸収した二酸化炭素を高効率で放散することができるという新規な事実を見出し、本発明を完成させるに至った。
【０００８】
すなわち、本発明は、以下に示すとおりの二酸化炭素分離組成物である。
【０００９】
［１］ジエチレントリアミンに酸化プロピレンを付加したアミン及び水からなる二酸化炭素分離組成物。
【００１０】
［２］ジエチレントリアミンに酸化プロピレンを付加したアミンが、Ｎ−（２−ヒドロキシプロピル）ジエチレントリアミン及び／又はＮ，Ｎ’’−ビス（２−ヒドロキシプロピル）ジエチレントリアミンである上記［１］に記載の二酸化炭素分離組成物。
【００１１】
［３］水の濃度が３０〜９５重量％である上記［１］又は［２］に記載の二酸化炭素分離組成物。
【００１２】
［４］さらにリン酸及び／又はリン酸塩を含んでなる上記［１］〜［３］のいずれかに記載の二酸化炭素分離組成物。
【００１３】
［５］さらに亜鉛（ＩＩ）化合物及び／又は銅（ＩＩ）化合物を含んでなる上記［１］〜［４］のいずれかに記載の二酸化炭素分離組成物。
【００１４】
［６］さらにアミノ基数５以上のポリエチレンポリアミンを含んでなる上記［１］〜［５］のいずれかに記載の二酸化炭素分離組成物。
【００１５】
以下、本発明について詳細に説明する。
【００１６】
本発明の二酸化炭素分離組成物の必須成分は、ジエチレントリアミンに酸化プロピレンを付加したアミン及び水である。
【００１７】
本発明の二酸化炭素分離組成物において使用するジエチレントリアミンは、アミノ基数３のポリエチレンポリアミンであり、単一化合物として工業的に容易に入手できる。ジエチレントリアミンも二酸化炭素を吸収し、加熱によって二酸化炭素を放散することができるが、その放散効率は低く、二酸化炭素の分離には高エネルギーを要する。そこで、ジエチレントリアミンの分離性能を向上させるために酸化プロピレンを付加することにより、二酸化炭素の放散効率が高くなることを見出した。
【００１８】
本発明の二酸化炭素分離組成物において、ジエチレントリアミンに付加する酸化プロピレンに特に制限はなく、工業的に広く流通しているものを使用することができる。
【００１９】
本発明の二酸化炭素分離組成物において、酸化プロピレンのジエチレントリアミンへの付加方法にも特に制限はない。混合して加熱する方法、酸触媒を使用する方法など一般に知られている付加方法を使用することができる。加熱する方法では、Ｎ−（２−ヒドロキシプロピル）ジエチレントリアミン及び／又はＮ，Ｎ’’−ビス（２−ヒドロキシプロピル）ジエチレントリアミンなどの２級アルコールが生成し、酸触媒を使用する方法では、１級と２級アルコールが生成する。酸触媒を使用した場合、残存する酸は二酸化炭素の吸収を阻害するため除去することが好ましい。
【００２０】
本発明の二酸化炭素分離組成物は水溶液として使用する。水はジエチレントリアミンに酸化プロピレンを付加したアミンの溶媒として、また二酸化炭素を炭酸塩にするために必要である。水を使用しない、又は水が不十分であると、ジエチレントリアミンに酸化プロピレンを付加したアミンが二酸化炭素と反応した時に、液が粘調になったり、固化したりして、装置閉塞などのトラブルが生じやすくなる。また、アミンと二酸化炭素がカルバミン酸塩を形成し、二酸化炭素の放散エネルギーが高くなる。
【００２１】
本発明の二酸化炭素分離組成物の水の濃度は３０〜９５重量％が好ましく、さらに好ましくは５０〜９０重量％である。濃度が３０重量％未満であると液が粘調になり、装置トラブルが生じやすくなり、９５重量％を超えると二酸化炭素の吸収量が工業的でないほど少なくなる傾向にある。
【００２２】
本発明の二酸化炭素分離組成物には、リン酸及び／又はリン酸塩を添加することができる。リン酸には、オルトリン酸、ピロリン酸（二リン酸）、メタリン酸（ポリリン酸）などがあるが、いずれの形態を使用しても良い。またリン酸塩は、アミン、アンモニアとのアンモニウム塩、リチウム、ナトリウム、カリウムなどとのアルカリ金属塩、カルシウム、マグネシウム、バリウムなどとのアルカリ土金属塩、アルミニウム塩、チタニウム塩、鉄塩、ニッケル塩などがあるが、いずれを使用しても一向に差し支えない。リン酸及び／又はリン酸塩を使用することにより、二酸化炭素の放散が促進される。また、石炭火力発電など、排ガス中に金属成分を含む排ガスを処理する場合には、排ガス中に含まれる種々の金属成分の捕捉が促進される。
【００２３】
本発明の二酸化炭素分離組成物には、亜鉛（ＩＩ）化合物、銅（ＩＩ）化合物を添加することができる。亜鉛（ＩＩ）化合物は、亜鉛（ＩＩ）塩、亜鉛（ＩＩ）酸化物、亜鉛（ＩＩ）水酸化物であり、フッ化亜鉛（ＩＩ）、塩化亜鉛（ＩＩ）、臭化亜鉛（ＩＩ）、ヨウ化亜鉛（ＩＩ）などのハロゲン化亜鉛（ＩＩ）、硝酸亜鉛（ＩＩ）、硫酸亜鉛（ＩＩ）、硫化亜鉛（ＩＩ）、炭酸亜鉛（ＩＩ）、酸化亜鉛（ＩＩ）、水酸化亜鉛（ＩＩ）、ギ酸亜鉛（ＩＩ）、酢酸亜鉛（ＩＩ）などの有機酸亜鉛（ＩＩ）が例示される。銅（ＩＩ）化合物は、銅（ＩＩ）塩、銅（ＩＩ）酸化物、銅（ＩＩ）水酸化物であり、フッ化銅（ＩＩ）、塩化銅（ＩＩ）、臭化銅（ＩＩ）、ヨウ化銅（ＩＩ）などのハロゲン化銅（ＩＩ）、硝酸銅（ＩＩ）、硫酸銅（ＩＩ）、硫化銅（ＩＩ）、炭酸銅（ＩＩ）、酸化銅（ＩＩ）、水酸化銅（ＩＩ）、ギ酸銅（ＩＩ）、酢酸銅（ＩＩ）などの有機酸銅（ＩＩ）が例示される。これらの亜鉛（ＩＩ）化合物、銅（ＩＩ）化合物はアミン類と共に使用することができる。使用するアミン類は、エチレンアミン類、エタノールアミン類が好ましい。
【００２４】
本発明の二酸化炭素分離組成物には、アミノ基数５以上のポリエチレンポリアミンを添加することができる。ポリエチレンポリアミンとは、複数のエチレン鎖を有し、しかもそのエチレン鎖の両端にアミノ基を有するアミンの総称である。本発明の二酸化炭素分離組成物において、ポリエチレンポリアミンのアミノ基数が多いほど吸収した二酸化炭素を高効率で放散することができるが、特にアミノ基数５以上のポリエチレンポリアミンが有効である。アミノ基数５以上のポリエチレンポリアミンは、二酸化炭素を放散しにくい１級アミノ基の比率が少ない。アミノ基を５以上有するポリエチレンポリアミンを例示すると、テトラエチレンペンタミン、ペンタエチレンヘキサミン、ヘキサエチレンヘプタミンなどが挙げられる。これらのポリエチレンポリアミンは単一化合物としては工業的に入手することが困難であり、蒸留では分離困難な異性体などの混合物として一般に流通している。テトラエチレンペンタミンは、直鎖状のテトラエチレンペンタミン、分岐したＮ，Ｎ−ビス（２−アミノエチル）ジエチレントリアミン、ピペラジン環を含むＮ−（３，６−ジアザヘキシル）−Ｎ’−（３−アザプロピル）ピペラジン、Ｎ−（３，６，９−トリアザノニル）ピペラジンのアミノ基数５の４種のアミン混合物として流通している。ペンタエチレンヘキサミン以上の沸点のポリエチレンポリアミンはさらに多くのアミンの混合物となっているが、本発明の二酸化炭素分離組成物においては、混合物として使用しても一向に差し支えない。また、他の留分のポリエチレンポリアミン、例えばテトラエチレンペンタミンとペンタエチレンヘキサミンを混合して使用しても一向に差し支えない。
【００２５】
本発明の二酸化炭素分離組成物には、他のよく知られたアミン、例えばモノエタノールアミン、ジエタノールアミン、Ｎ−メチルジエタノールアミン、アミノメチルプロパノール、イソプロピルアミノエタノールなどを添加しても良い。また、アルコール類やエチレングリコール、グリセリンなどのポリオール、ポリエチレングリコールなどを添加しても良い。
【００２６】
本発明の二酸化炭素分離組成物は、化学吸収法として広く知られた二酸化炭素分離方法に適用することができる。化学吸収法は二酸化炭素分離組成物と二酸化炭素を含む気体を接触させ、二酸化炭素を選択的に吸収させた後、高温又は減圧することにより二酸化炭素を放散させる。一般には二酸化炭素を放散させる温度は１００℃以上であるが、本発明の二酸化炭素分離組成物を使用した場合には、１００℃以下の温度でも二酸化炭素を放散させることができる。
【発明の効果】
【００２７】
本発明の二酸化炭素分離組成物は、吸収した二酸化炭素を高効率で放散することができるため、低エネルギーで二酸化炭素を分離することができ、工業的に極めて有用である。
【実施例】
【００２８】
本発明を以下の実施例によりさらに詳細に説明するが、本発明はこれらに限定されるものではない。なお、表記を簡潔にするため、以下の略記号を使用した。
【００２９】
ＭＥＡ：モノエタノールアミン
ＤＥＴＡ：ジエチレントリアミン（東ソー株式会社製）
ＰＯ：酸化プロピレン
ＤＥＴＡ−ＰＯ：Ｎ−（２−ヒドロキシプロピル）ジエチレントリアミン
ＤＥＴＡ−２ＰＯ：Ｎ，Ｎ’’−ビス（２−ヒドロキシプロピル）ジエチレントリアミン
Ｐ８：アミノ基数６のペンタエチレンヘキサミンよりアミノ基数が多いアミンが主成分のポリエチレンポリアミン混合物（東ソー株式会社製）
ＺｎＣｕ：塩化亜鉛（ＩＩ）、塩化銅（ＩＩ）、ＤＥＴＡをモル比で１：１：８で混合した触媒
実施例１（ＤＥＴＡ−ＰＯの合成）
コンデンサー、温度計を取り付けた３口フラスコに、ＤＥＴＡを１００ｇ入れ、６０℃に加熱、撹拌しながらＰＯ  ５６．３ｇを２時間かけて滴下した。その後、９５℃に昇温し、１時間加熱してＤＥＴＡ−ＰＯを合成した。
【００３０】
実施例２（ＤＥＴＡ−２ＰＯの合成）
コンデンサー、温度計を取り付けた３口フラスコに、ＤＥＴＡ−ＰＯを５２．１ｇ入れ、６０℃に加熱、撹拌しながらＰＯ  １８．８ｇを２時間かけて滴下した。その後、９５℃に昇温し、１時間加熱してＤＥＴＡ−２ＰＯを合成した。
【００３１】
実施例３
ＤＥＴＡ−ＰＯ  ３０ｇに純水７０ｇを加えた二酸化炭素吸収液１００ｇを調製した。これを４０℃に設定した吸収塔の上部からポンプで供給し、下方から５００ｍＬ／分で４０％二酸化炭素−窒素混合ガスを供給し、二酸化炭素を吸収させた。吸収液は二酸化炭素を吸収しなくなるまで吸収塔上部にリサイクルした。二酸化炭素の吸収量は、吸収液１ｋｇあたり５２．５Ｌだった。これを９０℃に加熱した放散塔に供給したところ、吸収液１ｋｇあたり１７．０Ｌの二酸化炭素を放散した。結果を表１に記した。
【００３２】
実施例４〜７、比較例１〜２
表１記載のアミン、添加物からなる二酸化炭素吸収液を調製し、実施例３と同様の方法で二酸化炭素の吸収性能、放散性能を評価した。結果は表１に記した。
【００３３】
【表１】
2020157211.tif 000002